(57)【特許請求の範囲】
【請求項１】
携帯端末のローミング接続を行うパケットローミング接続管理サーバにおいて、
前記携帯端末の固有の情報を表す携帯端末情報と、ローミング事業者がローミング接続を可能とする携帯端末の機種の情報を表すローミング可能端末機種情報と、当該ローミング事業者へローミング接続を行う接続先を表すローミング接続先情報と、当該ローミング事業者への接続方法を表す接続方法特定情報と、が登録されているデータベースと、
前記携帯端末から前記携帯端末情報の入力を受け付け、当該携帯端末情報が前記データベースに登録されているかを判定する端末認証処理部と、
前記携帯端末情報が前記データベースに登録されている場合、当該携帯端末の契約事業者の認証システムに対して、当該携帯端末の使用が有効かの確認要求を行う認証確認部と、
前記認証確認部が行った確認要求の結果、携帯端末の使用が有効であった場合、前記携帯端末から、当該携帯端末の種別を表す携帯端末種別情報と、当該携帯端末がローミング接続可能なネットワークを表すローミング接続可能先情報の入力を受け付け、当該携帯端末種別情報と当該ローミング接続可能先情報と前記データベースが保持する前記ローミング可能端末機種情報に基づき、当該携帯端末に前記データベースが保持する１つまたは複数の前記ローミング接続先情報を通知し、当該携帯端末にて選択した１つの当該ローミング接続先情報を受信する、ローミング選択処理部と、
前記ローミング選択処理部が受信したローミング接続先情報と、前記携帯端末情報に基づき、当該ローミング接続先情報によって示されるローミング接続先の認証システムに、当該携帯端末情報で示される携帯端末の一時登録を行う認証登録部と、
前記ローミング選択処理部が受信した前記ローミング接続先情報と、前記携帯端末情報に基づき、前記データベースから当該ローミング接続先情報で示されるローミング事業者の前記接続方法特定情報を取得し、当該携帯端末情報によって示される携帯端末に当該接続方法特定情報を通知するローミング設定処理部と、
を備えることを特徴とするパケットローミング接続管理サーバ。
【請求項２】
前記データベースには、さらに接続サービスの形態を表す接続サービス形態特定情報が登録されており、
前記ローミング選択処理部は、前記ローミング接続先情報を通知した携帯端末において選択された当該ローミング接続先情報と、当該ローミング接続先情報によって示される接続サービス形態特定情報に基づいて設定される当該携帯端末の接続有効期間を示す情報を前記データベースに登録し、
前記接続有効期間の終了を契機に、前記データベースから当該接続有効期間で示される携帯端末の前記携帯端末情報と、当該携帯端末の前記ローミング接続先情報を読み出し、前記データベースが保持する当該携帯端末の前記ローミング接続先情報と前記接続有効期間の削除を行うスケジュール管理処理部と、
前記スケジュール管理処理部が読み出した前記ローミング接続先情報と前記携帯端末情報に基づき、当該ローミング接続先の認証システムから当該携帯端末情報によって示される携帯端末の一時登録を削除する削除処理部と、
をさらに備えることを特徴とする請求項１に記載のパケットローミング接続管理サーバ。
【請求項３】
前記携帯端末の契約事業者を表す契約事業者情報を前記データベースに登録するローミング情報登録処理部を備え、
前記スケジュール管理処理部は、前記接続有効期間の終了、または前記ローミング接続先情報によって設定される課金情報通知の周期の循環を契機に、前記データベースから当該接続有効期間情報または当該ローミング接続先情報が示す携帯端末の前記契約事業者情報を読み出し、
前記データベースが保持する前記ローミング接続先情報によって示されるローミング接続先の課金システムから課金情報を読み出し、前記スケジュール管理処理部が読み出した前記契約事業者情報と前記課金情報に基づき、当該契約事業者情報で示される契約事業者の課金システムに課金要求を指示する課金処理部をさらに備えることを特徴とする請求項２に記載のパケットローミング接続管理サーバ。
【請求項４】
請求項１に記載のパケットローミング接続管理サーバと、
前記パケットローミング接続管理サーバから受信した前記接続方法特定情報に基づいて、前記接続方法特定情報によって示されるネットワークにローミング接続を行う携帯端末と、
を備えることを特徴とするパケットローミング接続システム。
【請求項５】
携帯端末のローミング接続を行うパケットローミング接続管理サーバを用いるパケットローミング接続方法において、
データベースには、前記携帯端末の固有の情報を表す携帯端末情報と、ローミング事業者がローミング接続を可能とする携帯端末の機種の情報を表すローミング可能端末機種情報と、当該ローミング事業者のローミング接続先を表すローミング接続先情報と、当該ローミング事業者への接続方法を表す接続方法特定情報と、が登録されており、
端末認証処理部は、前記携帯端末から前記携帯端末情報の入力を受け付け、当該携帯端末情報が前記データベース登録されているかを判定し、
認証確認部は、携帯端末情報が前記データベースに登録されていた場合、当該携帯端末の契約事業者の認証システムに対して、当該携帯端末の使用が有効かの確認要求を行い、  ローミング選択処理部は、前記認証確認部が確認要求した結果、携帯端末の使用が有効であった場合、前記携帯端末から、当該携帯端末の種別を表す携帯端末種別情報と、当該携帯端末がローミング接続可能なネットワークを表すローミング接続可能先情報の入力を受け付け、当該携帯端末種別情報と当該ローミング接続可能先情報と前記データベースが保持する前記ローミング可能端末機種情報に基づき、当該携帯端末に前記データベースが保持する前記ローミング接続先情報を通知し、当該携帯端末にて選択した当該ローミング接続先情報を受信し、
認証登録部は、前記ローミング選択処理部が受信した前記ローミング接続先情報と、前記携帯端末情報に基づき、当該ローミング接続先情報によって示されるローミング接続先の認証システムに、当該携帯端末情報で示される携帯端末の一時登録を行い、
ローミング設定処理部は、前記ローミング選択処理部が受信した前記ローミング接続先情報と、前記携帯端末情報に基づき、前記データベースから当該ローミング接続先情報によって示されるローミング接続先の前記接続方法特定情報を取得し、当該携帯端末情報によって示される携帯端末に当該接続方法特定情報を通知する、
ことを特徴とするパケットローミング接続方法。
【請求項６】
携帯端末が、請求項１に記載のパケットローミング接続管理サーバから受信した接続方法特定情報に基づいて、前記接続方法特定情報によって示されるネットワークにローミング接続を行うことを特徴とするパケットローミング接続方法。
【請求項７】
携帯端末の固有の情報を表す携帯端末情報と、ローミング事業者がローミング接続を可能とする携帯端末の機種の情報を表すローミング可能端末機種情報と、当該ローミング事業者へローミング接続を行う接続先を表すローミング接続先情報と、当該ローミング事業者への接続方法を表す接続方法特定情報と、が登録されているデータベースを備え、
携帯端末のローミング接続を行うパケットローミング接続管理サーバのコンピュータを、
前記携帯端末から前記携帯端末情報の入力を受け付け、当該携帯端末情報が前記データベースに登録されているかを判定する端末認証処理手段、
前記携帯端末情報が前記データベースに登録されていた場合、当該携帯端末の契約事業者の認証システムに対して、当該携帯端末の使用が有効かの確認要求を行う認証確認手段、
前記認証確認手段が行った確認要求の結果、携帯端末の使用が有効であった場合、前記携帯端末から、当該携帯端末の種別を表す携帯端末種別情報と、当該携帯端末がローミング接続可能なネットワークを表すローミング接続可能先情報の入力を受け付け、当該携帯端末種別情報と当該ローミング接続可能先情報と前記データベースが保持する前記ローミング可能端末機種情報に基づき、当該携帯端末に前記データベースが保持する前記ローミング接続先情報を通知し、当該携帯端末にて選択した当該ローミング接続先情報を受信する、ローミング選択処理手段、
前記ローミング選択処理手段が受信したローミング接続先情報と、前記携帯端末情報に基づき、当該ローミング接続先情報によって示されるローミング接続先の認証システムに、当該携帯端末情報で示される携帯端末の一時登録を行う認証登録手段、
前記ローミング選択処理手段が受信した前記ローミング接続先情報と、前記携帯端末情報に基づき、前記データベースから当該ローミング接続先情報で示されるローミング事業者の前記接続方法特定情報を取得し、当該携帯端末情報によって示される携帯端末に当該接続方法特定情報を通知するローミング設定処理手段、
として機能させるためのプログラム。
【発明の詳細な説明】
【技術分野】
【０００１】
本発明は、携帯端末のローミング接続を行うパケットローミング接続管理サーバ、パケットローミング接続システム、パケットローミング接続方法、及びプログラムに関する。
【背景技術】
【０００２】
携帯端末が契約している通信事業者のサービスを、他の通信事業者のネットワークを通じて受けることができるローミング接続は、国内の通信事業者と契約している携帯端末を国際的に利用する国際ローミングサービス等において用いられている。
図８は従来の携帯端末によるローミング接続システムの構成を示す概略ブロック図である。携帯端末９２は、通常はローミング元ネットワーク９４を介して契約事業者システム９５に接続されており、携帯端末９２がローミング元ネットワーク９４を介して情報の受信ができない場合、ローミング先ネットワーク９７を介して契約事業者システム９５に接続される。契約事業者システム９５は認証サーバ９５１と課金サーバ９５２を備える。
【０００３】
携帯端末９２が情報の受信を行う際、携帯端末９２はローミング元ネットワーク９４を介して情報の受信を行う。携帯端末９２がローミング元ネットワーク９４を介して情報の受信ができない場合、契約事業者システム９５がローミング先ネットワーク９７へ情報を転送することで、携帯端末９２は情報を受信することができる。この際、ローミング元ネットワーク９４からローミング先ネットワーク９７へ情報を転送した分の料金が課金サーバ９５２に蓄積される。
【０００４】
図８に示されるようなローミング接続においても、決められた契約内容にて、パケットローミング接続は可能であり、課金も携帯端末の契約事業者より請求される。
なお、携帯端末が複数のネットワークへの接続を選択する方法として、特許文献１、特許文献２の技術が開示されている。
【特許文献１】特開２００５−２７７８１５号公報
【特許文献２】再公表特許ＷＯ０４／４５１７３号公報
【発明の開示】
【発明が解決しようとする課題】
【０００５】
しかしながら、従来のローミング接続では、ローミング接続先及び課金体系が限定されていて選択肢がほとんどなく、またローミング接続先の情報や接続設定が煩雑であり、移動先にて対応することが困難であるという問題がある。
また、特許文献１による手法では、複数のネットワークと接続可能な場合に利用者の判断でネットワークを選択することができるが、契約事業者以外の通信事業者のネットワークに接続する場合、一時的な接続要求を行うことで接続を確立するため、利用者が他の通信事業者のネットワークに接続する度に毎回一時的な接続要求を行う必要があるという問題がある。
本発明は上記の点に鑑みてなされたものであり、その目的は、多様なローミング接続サービスを利用者の判断で選択でき、契約事業者以外の通信事業者のネットワークに接続する度に毎回接続要求を行う必要がないパケットローミング接続管理サーバを提供することにある。
【課題を解決するための手段】
【０００６】
本発明は上記の課題を解決するためになされたものであり、携帯端末のローミング接続を行うパケットローミング接続管理サーバにおいて、前記携帯端末の固有の情報を表す携帯端末情報と、ローミング事業者がローミング接続を可能とする携帯端末の機種の情報を表すローミング可能端末機種情報と、当該ローミング事業者へローミング接続を行う接続先を表すローミング接続先情報と、当該ローミング事業者への接続方法を表す接続方法特定情報と、が登録されているデータベースと、前記携帯端末から前記携帯端末情報の入力を受け付け、当該携帯端末情報が前記データベースに登録されているかを判定する端末認証処理部と、前記携帯端末情報が前記データベースに登録されている場合、当該携帯端末の契約事業者の認証システムに対して、当該携帯端末の使用が有効かの確認要求を行う認証確認部と、前記認証確認部が行った確認要求の結果、携帯端末の使用が有効であった場合、前記携帯端末から、当該携帯端末の種別を表す携帯端末種別情報と、当該携帯端末がローミング接続可能なネットワークを表すローミング接続可能先情報の入力を受け付け、当該携帯端末種別情報と当該ローミング接続可能先情報と前記データベースが保持する前記ローミング可能端末機種情報に基づき、当該携帯端末に前記データベースが保持する１つまたは複数の前記ローミング接続先情報を通知し、当該携帯端末にて選択した１つの当該ローミング接続先情報を受信する、ローミング選択処理部と、前記ローミング選択処理部が受信したローミング接続先情報と、前記携帯端末情報に基づき、当該ローミング接続先情報によって示されるローミング接続先の認証システムに、当該携帯端末情報で示される携帯端末の一時登録を行う認証登録部と、前記ローミング選択処理部が受信した前記ローミング接続先情報と、前記携帯端末情報に基づき、前記データベースから当該ローミング接続先情報で示されるローミング事業者の前記接続方法特定情報を取得し、当該携帯端末情報によって示される携帯端末に当該接続方法特定情報を通知するローミング設定処理部と、を備えることを特徴とする。
【０００７】
また、本発明の前記データベースには、さらに接続サービスの形態を表す接続サービス形態特定情報が登録されており、前記ローミング選択処理部は、前記ローミング接続先情報を通知した携帯端末において選択された当該ローミング接続先情報と、当該ローミング接続先情報によって示される接続サービス形態特定情報に基づいて設定される当該携帯端末の接続有効期間を示す情報を前記データベースに登録し、前記接続有効期間の終了を契機に、前記データベースから当該接続有効期間で示される携帯端末の前記携帯端末情報と、当該携帯端末の前記ローミング接続先情報を読み出し、前記データベースが保持する当該携帯端末の前記ローミング接続先情報と前記接続有効期間の削除を行うスケジュール管理処理部と、前記スケジュール管理処理部が読み出した前記ローミング接続先情報と前記携帯端末情報に基づき、当該ローミング接続先の認証システムから当該携帯端末情報によって示される携帯端末の一時登録を削除する削除処理部と、をさらに備えることを特徴とする。
【０００８】
また、本発明は、前記携帯端末の契約事業者を表す契約事業者情報を前記データベースに登録するローミング情報登録処理部を備え、前記スケジュール管理処理部は、前記接続有効期間の終了、または前記データベースが保持するローミング接続先情報によって設定される課金情報通知の周期の循環を契機に、前記データベースから当該接続有効期間または当該ローミング接続先情報が示す携帯端末の前記契約事業者情報を読み出し、前記データベースが保持する前記ローミング接続先情報によって示されるローミング接続先の課金システムから課金情報を読み出し、前記スケジュール管理処理部が読み出した前記契約事業者情報と前記課金情報に基づき、当該契約事業者情報で示される契約事業者の課金システムに課金要求を指示する課金処理部をさらに備えることを特徴とする。
【０００９】
また、本発明は、上述したパケットローミング接続管理サーバと、前記パケットローミング接続管理サーバから受信した前記接続方法特定情報に基づいて、前記接続方法特定情報によって示されるネットワークにローミング接続を行う携帯端末と、を備えることを特徴とする。
【００１０】
また、本発明は、携帯端末のローミング接続を行うパケットローミング接続管理サーバを用いるパケットローミング接続方法において、データベースには、前記携帯端末の固有の情報を表す携帯端末情報と、ローミング事業者がローミング接続を可能とする携帯端末の機種の情報を表すローミング可能端末機種情報と、当該ローミング事業者のローミング接続先を表すローミング接続先情報と、当該ローミング事業者への接続方法を表す接続方法特定情報と、が登録されており、端末認証処理部は、前記携帯端末から前記携帯端末情報の入力を受け付け、当該携帯端末情報が前記データベース登録されているかを判定し、認証確認部は、携帯端末情報が前記データベースに登録されていた場合、当該携帯端末の契約事業者の認証システムに対して、当該携帯端末の使用が有効かの確認要求を行い、ローミング選択処理部は、前記認証確認部が確認要求した結果、携帯端末の使用が有効であった場合、前記携帯端末から、当該携帯端末の種別を表す携帯端末種別情報と、当該携帯端末がローミング接続可能なネットワークを表すローミング接続可能先情報の入力を受け付け、当該携帯端末種別情報と当該ローミング接続可能先情報と前記データベースが保持する前記ローミング可能端末機種情報に基づき、当該携帯端末に前記データベースが保持する前記ローミング接続先情報を通知し、当該携帯端末にて選択した当該ローミング接続先情報を受信し、認証登録部は、前記ローミング選択処理部が受信した前記ローミング接続先情報と、前記携帯端末情報に基づき、当該ローミング接続先情報によって示されるローミング接続先の認証システムに、当該携帯端末情報で示される携帯端末の一時登録を行い、ローミング設定処理部は、前記ローミング選択処理部が受信した前記ローミング接続先情報と、前記携帯端末情報に基づき、前記データベースから当該ローミング接続先情報によって示されるローミング接続先の前記接続方法特定情報を取得し、当該携帯端末情報によって示される携帯端末に当該接続方法特定情報を通知する、ことを特徴とする。
【００１１】
また、本発明は、携帯端末が、上述したパケットローミング接続管理サーバから受信した接続方法特定情報に基づいて、前記接続方法特定情報によって示されるネットワークにローミング接続を行うことを特徴とする。
【００１２】
また、本発明は、携帯端末の固有の情報を表す携帯端末情報と、ローミング事業者がローミング接続を可能とする携帯端末の機種の情報を表すローミング可能端末機種情報と、当該ローミング事業者へローミング接続を行う接続先を表すローミング接続先情報と、当該ローミング事業者への接続方法を表す接続方法特定情報と、が登録されているデータベースを備え、携帯端末のローミング接続を行うパケットローミング接続管理サーバのコンピュータを、前記携帯端末から前記携帯端末情報の入力を受け付け、当該携帯端末情報が前記データベースに登録されているかを判定する端末認証処理手段、前記携帯端末情報が前記データベースに登録されていた場合、当該携帯端末の契約事業者の認証システムに対して、当該携帯端末の使用が有効かの確認要求を行う認証確認手段、前記認証確認手段が行った確認要求の結果、携帯端末の使用が有効であった場合、前記携帯端末から、当該携帯端末の種別を表す携帯端末種別情報と、当該携帯端末がローミング接続可能なネットワークを表すローミング接続可能先情報の入力を受け付け、当該携帯端末種別情報と当該ローミング接続可能先情報と前記データベースが保持する前記ローミング可能端末機種情報に基づき、当該携帯端末に前記データベースが保持する前記ローミング接続先情報を通知し、当該携帯端末にて選択した当該ローミング接続先情報を受信する、ローミング選択処理手段、前記ローミング選択処理手段が受信したローミング接続先情報と、前記携帯端末情報に基づき、当該ローミング接続先情報によって示されるローミング接続先の認証システムに、当該携帯端末情報で示される携帯端末の一時登録を行う認証登録手段、前記ローミング選択処理手段が受信した前記ローミング接続先情報と、前記携帯端末情報に基づき、前記データベースから当該ローミング接続先情報で示されるローミング事業者の前記接続方法特定情報を取得し、当該携帯端末情報によって示される携帯端末に当該接続方法特定情報を通知するローミング設定処理手段、として機能させるためのプログラムである。
【発明の効果】
【００１３】
本発明によれば、携帯端末にパケットローミング接続管理サーバより利用可能なローミング接続を提供され、携帯端末によりローミング接続サービスの内容を選択することができるので、利用者は利用用途に合ったローミング接続先を選択することができる。また、携帯端末にパケットローミング接続管理サーバよりローミング接続の接続方法の情報が提示されるので、携帯端末の情報に従ってローミング接続を実施することができる。さらに、パケットローミング接続管理サーバがローミング接続先の認証システムに携帯端末の一時登録を行うため、ローミング接続先に接続する度に接続確認を行う必要をなくすことができる。
【発明を実施するための最良の形態】
【００１４】
以下、図面を参照しながら本発明の実施形態について詳しく説明する。
図１は、本発明の一実施形態によるパケットローミング接続システムの構成を示す概略ブロック図である。パケットローミング接続システムは、携帯端末の要求や無線環境条件に基づきローミング接続サービスを実現し、パケットローミング接続管理サーバ１と、携帯端末２と、ローミング元事業者システム３と、ローミング元ネットワーク４と、契約事業者システム５と、複数のローミング先事業者システム６−１〜６−N（ローミング接続先）と、複数のローミング先ネットワーク７−１〜７−Nと、パケットローミング接続管理サーバ制御端末８を備える。ローミング元事業者システム３は携帯端末２の使用が有効であるかの認証を行う認証サーバ３１（認証システム）と、利用者へ課金を行う際に用いる課金情報を保持する課金サーバ３２（課金システム）を有する。また、契約事業者システム５は認証サーバ５１と課金サーバ５２を有する。また、ローミング先事業者システム６−１は認証サーバ６１−１と課金サーバ６２−１を有する。なお、ローミング先事業者システム６−２〜６−Nはローミング先事業者システム６−１と同じ構成であるので、それらの説明を省略する。
【００１５】
携帯端末２はネットワークを介して通信を行う機能を有し、通常はローミング元ネットワーク４に接続される。また、ローミング先ネットワーク７−１〜７−Nに接続可能である。携帯端末２は、ローミング元ネットワーク４を介してパケットローミング接続管理サーバ１と、ローミング元事業者システム３に接続されている。ローミング元事業者システム３は、ローミング元ネットワーク４を利用する利用者の認証と課金を行うシステムである。認証サーバ３１は、パケットローミング管理サーバ１から携帯端末２の固有の情報を表す携帯端末情報を入力として受け付けることによって携帯端末２の登録を行い、携帯端末２をローミング元ネットワーク４へ接続させる機能を有する。契約事業者システム５は、携帯端末２の利用者の認証と課金を行うシステムである。ローミング先事業者システム６−１は、ローミング先ネットワーク７−１を利用する利用者の認証と課金を行うシステムである。認証サーバ６１−１は、パケットローミング管理サーバ１から携帯端末２の携帯端末情報を入力として受け付けることによって携帯端末２の一時登録を行い、携帯端末２をローミング先ネットワーク７−１へ接続させる機能を有する。パケットローミング接続管理サーバ制御端末８は、パケットローミング接続管理サーバ１へ情報の登録、変更及び削除情報を入力する端末である。
【００１６】
図２は、パケットローミング接続管理サーバ１の構成を示す概略ブロック図である。パケットローミング接続管理サーバ１は、ローミング情報登録処理部１１と、端末認証処理部１２と、ローミング選択処理部１３と、ローミング設定処理部１４と、アクセス処理部１５と、データベース１６と、スケジュール管理処理部１７と、認証登録／削除処理部１８（認証確認部、認証登録部、削除処理部）と、課金処理部１９とを備える。
【００１７】
ローミング情報登録処理部１１は、パケットローミング接続管理サーバ制御端末８からの入力を受け付け、データベース１６に携帯端末２の携帯端末情報、及び、ローミング先事業者毎の、ローミング接続を受け付ける携帯端末２の機種を示すローミング可能端末機種情報、接続サービスに必要な情報を表す接続サービス時利用情報（ローミング接続先情報、接続サービス形態特定情報）と、接続方法を表す接続方法特定情報を登録、変更及び削除する。
携帯端末情報は、例えば携帯端末２の電話番号や端末の製造番号によって表される。また、接続サービス時利用情報は、サービスを提供するローミング先事業者を示すローミング接続先情報と、サービスの有効期間を示す有効期間情報または課金情報通知の周期を示す周期期間情報を含む。また、接続方法特定情報は、ローミング先ネットワーク７−１〜７−Ｎで使用する接続先電話番号またはＩＰアドレスと、携帯端末２にローミング先を設定するためのローミング先設定情報と、接続先電話番号またはＩＰアドレスとローミング先設定情報を携帯端末２に設定する操作方法を含む。
【００１８】
端末認証処理部１２は、携帯端末２の携帯端末情報と、データベース１６が保持する携帯端末情報との照合を行う機能を有する。ローミング選択処理部１３は、携帯端末２がローミング接続可能なローミング先事業者の接続サービス時利用情報を携帯端末２に送信する機能と、携帯端末２が選択した接続サービス時利用情報から特定できるローミング接続先選択情報（ローミング接続先情報）と、接続サービス時利用情報によって示される接続有効期間情報または周期期間情報をデータベース１６に登録する機能を有する。ローミング設定処理部１４は、携帯端末２が選択したローミング先事業者の接続方法特定情報を携帯端末２へ送信する機能を有する。
【００１９】
アクセス処理部１５は各処理部１１〜１９同士の情報及び命令の仲介を行う機能を有する。スケジュール管理処理部１７は、データベース１６が保持する有効期間情報で示される有効期間の終了、及び周期期間情報で示される周期の循環を認証登録／削除処理部１８及び課金処理部１９に通知する機能を有する。認証登録／削除処理部１８は、認証サーバ５１に、携帯端末２の使用が可能かの確認要求を行う機能と、認証サーバ６１−１〜６１−Ｎに、携帯端末２の使用が可能かの確認要求、携帯端末２の携帯端末情報の一時登録、及び携帯端末２の携帯端末情報の登録削除を行う機能を有する。課金処理部１９は、課金サーバ６２−１〜６２−Ｎから課金情報を読み出し、契約事業者システム５の課金サーバ５２にて課金要求を指示する機能を有する。
【００２０】
図３は、データベース１６に格納されているローミング先事業者テーブルを示している。図３に示されるように、ローミング先事業者テーブルには、ローミング先事業者毎に、ローミング可能端末機種情報、接続サービス時利用情報、接続方法特定情報が登録される。
図４は、データベース１６に格納されている携帯端末テーブルを示している。図４に示されるように、携帯端末テーブルには、携帯端末２の携帯端末情報、契約事業者情報、ローミング接続先選択情報、有効期間情報、周期期間情報が登録される。
【００２１】
次に、図２に示すパケットローミング接続管理サーバ１の動作を説明する。
まず、データベース１６の携帯端末テーブルに携帯端末情報、契約事業者情報を、ローミング先事業者テーブルにローミング可能端末機種情報、接続サービス時利用情報、接続方法特定情報を登録、変更及び削除する動作を説明する。
パケットローミング接続管理サーバ制御端末８により、ローミング情報登録処理部１１に対して、携帯端末２の携帯端末情報、契約事業者情報と、ローミング先事業者毎のローミング可能端末機種情報、接続サービス時利用情報、接続方法特定情報を登録、変更及び削除する命令が発行される。
【００２２】
なお、携帯端末テーブルに対する登録の命令は、例えば携帯端末の新規契約をするときに発行される。また、携帯端末テーブルに対する変更の命令は、例えば携帯端末の機種変更をするときに発行される。また、携帯端末テーブルに対する削除の命令は、例えば携帯端末の解約をするときに発行される。また、ローミング先事業者テーブルに対する登録の命令は、例えばローミング先事業者がローミング接続サービスを開始するときに発行される。また、ローミング先事業者テーブルに対する変更の命令は、例えばローミング可能端末の機種を追加するときに発行される。また、ローミング先事業者テーブルに対する削除の命令は、例えばローミング先事業者がローミング接続サービスを終了するときに発行される。
【００２３】
ローミング情報登録処理部１１が登録、変更及び削除する命令を受け付けると、次に、認証登録／削除処理部１８は、アクセス処理部１５を介してローミング情報登録処理部から、携帯端末２の登録及び変更命令、または、ローミング先事業者毎の登録及び変更命令を取得する。
ローミング情報登録処理部１１が取得した命令が、携帯端末２の登録及び変更命令である場合、認証登録／削除処理部１８は、該当する携帯端末２の契約事業者システム５の認証サーバ５１に、携帯端末２の使用が可能かの確認要求を行う。携帯端末２の使用が可能かの確認を行うことで、使用できない携帯端末２をデータベース１６へ登録することを防ぐことができる。
また、ローミング情報登録処理部１１が取得した命令が、ローミング先事業者毎の登録及び変更命令である場合、認証登録／削除処理部１８は、該当するローミング先事業者のローミング先事業者システム６−１の認証サーバ６１−１に、一時登録が可能かの確認要求を行う。一時登録が可能かの確認を行うことで、ローミング接続ができないローミング先事業者をデータベース１６へ登録することを防ぐことができる。
【００２４】
認証登録／削除処理部１８が携帯端末２の使用、または一時登録が可能かの確認要求を行うと、次に、ローミング情報登録処理部１１は、アクセス処理部１５を介して認証登録／削除処理部１８から携帯端末２の使用、または一時登録が可能かの確認要求の結果を取得する。携帯端末２の使用、または一時登録が可能である場合、ローミング情報登録処理部１１は、アクセス処理部１５を介してデータベース１６の携帯端末テーブルへ、携帯端末情報、契約事業者情報の登録及び変更、またはデータベース１６のローミング先事業者テーブルへ、ローミング可能端末機種情報、接続サービス時利用情報、接続方法特定情報の登録及び変更を行う。
【００２５】
また、ローミング情報登録処理部１１が取得した命令が、削除命令である場合、ローミング情報登録処理部１１は、アクセス処理部１５を介して、データベース１６に削除対象の情報が使用中でないかの確認を行い、削除対象の情報が使用中でないとき、削除を行う。
【００２６】
次に、パケットローミング接続システムがパケットローミング接続管理サーバ１によって携帯端末２のローミング接続を行う動作を説明する。上述の処理により、データベース１６に携帯端末２の携帯端末情報、契約事業者情報と、ローミング先事業者毎のローミング可能端末機種情報、接続サービス時利用情報、接続方法特定情報が保持された状態で以下の処理が開始される。
図５は、パケットローミング接続管理サーバ１がローミング接続を行う処理を表すフローチャートである。パケットローミングを行う利用者は携帯端末２からローミング元ネットワーク４を介して端末認証処理部１２へ接続する。端末認証処理部１２は、携帯端末２から携帯端末情報を取得する（ステップＳ１）。次に、端末認証処理部１２は、アクセス処理部１５を介して、携帯端末２がデータベース１６に登録されているかの確認を行う（ステップＳ２）。
【００２７】
端末認証処理部１２が、携帯端末２がデータベース１６に登録されているかの確認を行うと、次に、認証登録／削除処理部１８はアクセス処理部１５を介して端末認証処理部１２から、携帯端末２がデータベース１６に登録されているかの確認結果を取得する。携帯端末２がデータベース１６に登録されていた場合、認証登録／削除処理部１８は、携帯端末２の契約事業者システム５の認証サーバ５１に、携帯端末２の使用が可能かの確認要求を行う（ステップＳ３）。認証登録／削除処理部１８が携帯端末２の使用が可能かの確認要求を行うと、次に、ローミング選択処理部１３は、アクセス処理部１５を介して認証登録／削除処理部１８から、携帯端末２使用が可能かの確認要求の結果を取得する。携帯端末２の使用が可能である場合、ローミング選択処理部１３は、ローミング元ネットワーク４を介して携帯端末２から、ローミング接続可能先情報と携帯端末種別情報を取得する（ステップＳ４）。なお、ローミング接続可能先情報は携帯端末２によって生成されるものであり、携帯端末２が、ローミング先ネットワーク７−１〜７−Nの端末受信レベルに基づいてローミング接続可能先情報を生成して、これをローミング接続管理サーバ１に予め送信することにより、ローミング接続管理サーバ１のローミング選択処理部１３はローミング接続可能先情報を取得することができる。
【００２８】
ローミング選択処理部１３は、携帯端末２からローミング接続可能先情報と携帯端末種別情報を取得すると、次に、アクセス処理部１５を介してデータベース１６から、ローミング接続可能先情報によって示されるローミング先事業者の、ローミング可能端末機種情報と接続サービス時利用情報を取得する（ステップＳ５）。ローミング選択処理部１３は、データベース１６より取得したローミング可能端末機種情報に基づいて、携帯端末２から取得した携帯端末種別情報で示される機種が、ローミング接続可能である１つまたは複数の接続サービス時利用情報を、ローミング元ネットワーク４を介して携帯端末２へ送信する（ステップＳ６）。
【００２９】
利用者は、携帯端末２が取得した１つまたは複数の接続サービス時利用情報から、利用者が接続を希望する接続サービス時利用情報を１つ選択する。ローミング選択処理部１３は、ローミング元ネットワーク４を介して携帯端末２が選択した接続サービス時利用情報を受信する（ステップＳ７）。ローミング選択処理部１３は、携帯端末２から接続サービス時利用情報を受信すると、次に、アクセス処理部１５を介してデータベース１６の携帯端末テーブルに、携帯端末２が選択したローミング接続先を示すローミング接続先選択情報と、受信した接続サービス時利用情報に格納されている接続有効期間情報を登録する。また、接続有効期間情報が指定されない場合は課金情報通知の周期期間情報を登録する。（ステップＳ８）
【００３０】
ローミング選択処理部１３がデータベース１６の携帯端末テーブルに情報を登録すると、次に、認証登録／削除処理部１８は、アクセス処理部１５を介してローミング選択処理部１３が受信した接続サービス時利用情報を取得する。認証登録／削除処理部１８は、取得した接続サービス時利用情報によって示されるローミング先事業者システム６−１の認証サーバ６１−１に、携帯端末２の一時登録を行う（ステップＳ９）。認証登録／削除処理部１８が携帯端末２の一時登録を行うと、ローミング設定処理部１４は、アクセス処理部１５を介して、認証登録／削除処理部１８に、一時登録の完了を確認する。一時登録が正常に完了したら、ローミング設定処理部１４は、アクセス処理部１５を介してデータベース１６から該当する接続方法特定情報を取得する（ステップＳ１０）。ローミング設定処理部１４は、ローミング元ネットワーク４を介して携帯端末２に、取得した接続方法特定情報を送信する（ステップＳ１１）。
利用者は携帯端末２が取得した接続方法特定情報に含まれる、接続先電話番号またはＩＰアドレスとローミング先設定情報を携帯端末２に設定する操作方法に従って、ローミング接続を実施する。
【００３１】
次に、パケットローミング接続管理サーバ１が携帯端末２の契約事業者システム５へ課金を行う動作を説明する。
図６は、パケットローミング接続管理サーバ１が契約事業者システム５へ課金を行う処理を表すフローチャートである。スケジュール管理処理部１７は、アクセス処理部１５を介してデータベース１６から接続有効期間情報と周期期間情報を取得する（ステップＳ２１）。取得した接続有効期間情報によって示される有効期間が終了した場合、または取得した周期期間情報によって示される周期が循環した場合（ステップＳ２２）、スケジュール管理処理部１７は、アクセス処理部１５を介してデータベース１６から該当する携帯端末情報とローミング接続先選択情報と契約事業者情報を取得する（ステップＳ２３）。
【００３２】
スケジュール管理処理部１７が携帯端末情報とローミング接続先選択情報と契約事業者情報を取得すると、次に、課金処理部１９は、アクセス処理部１５を介してスケジュール管理処理部１７が取得した携帯端末情報とローミング接続先選択情報と契約事業者情報を取得する（ステップＳ２３）。課金処理部１９は、ローミング接続先選択情報によって示されるローミング先事業者システム６−１の課金サーバ６２−１から、携帯端末情報によって示される携帯端末２の課金情報を読み出す（ステップＳ２４）。課金処理部１９は、課金サーバ６２−１から取得した課金情報に基づき、スケジュール管理処理部１７から取得した契約事業者情報で示される契約事業者システム５の課金サーバ５２に課金要求を指示する（ステップＳ２５）。
【００３３】
次に、パケットローミング接続管理サーバ１が有効期間の過ぎたローミング接続サービスを終了させる動作を説明する。
図７は、パケットローミング接続管理サーバ１がローミング接続サービスを終了させる処理を表すフローチャートである。スケジュール管理処理部１７は、アクセス処理部１５を介してデータベース１６から接続有効期間情報を取得する（ステップＳ３１）。取得した接続有効期間情報によって示される有効期間が終了した場合（ステップＳ３２）、スケジュール管理処理部１７は、アクセス処理部１５を介してデータベース１６から該当する携帯端末情報とローミング接続先選択情報を取得する（ステップＳ３３）。
【００３４】
スケジュール管理処理部１７が携帯端末情報とローミング接続先選択情報を取得すると、次に、認証登録／削除処理部１８は、アクセス処理部１５を介してスケジュール管理処理部１７が取得した携帯端末情報とローミング接続先選択情報を取得する。認証登録／削除処理部１８は、ローミング接続先選択情報によって示されるローミング先事業者システム６−１の認証サーバ６１−１から、携帯端末情報によって示される携帯端末２の一時登録を削除する（ステップＳ３４）。
【００３５】
認証登録／削除処理部１８が携帯端末２の一時登録を削除すると、次に、スケジュール管理処理部１７は、アクセス処理部１５を介して認証登録／削除処理部に一時登録の削除を確認する。削除が正常に完了したら、スケジュール管理処理部１７は、アクセス処理部１５を介してデータベース１６から携帯端末２のローミング接続先選択情報、接続有効期間情報、周期期間情報の削除を行う（ステップＳ３５）。
【００３６】
このように、本実施形態によれば、携帯端末にパケットローミング接続管理サーバより利用可能なローミング接続を提供され、携帯端末によりローミング接続サービスの内容を選択することができるので、利用者は利用用途に合ったローミング接続先を選択することができる。利用用途には、例えば、ローミング元ネットワークの端末受信レベルが低い場合により端末受信レベルの高いローミング接続先を選ぶことや、通信相手に応じて通信料金が安いローミング接続先を選ぶこと等が挙げられる。また、携帯端末にパケットローミング接続管理サーバよりローミング接続の接続方法の情報が提示されるので、携帯端末の情報に従ってローミング接続を実施することができる。さらに、パケットローミング接続管理サーバがローミング接続先の認証システムに携帯端末の一時登録を行うため、ローミング接続先に接続する度に接続確認を行う必要をなくすことができる。
【００３７】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態によれば、パケットローミング接続管理サーバ１内部の各処理部１１〜１９同士の情報及び命令の仲介をアクセス処理部１５が行ったが、これに限られず、各処理部１１〜１９を直接接続することによって情報及び命令の伝達を行うようにしてもよい。
【００３８】
なお、本実施形態によれば、携帯端末２は、端末受信レベルに基づいてローミング接続可能先情報を生成したが、これに限られず、ＧＰＳ（Global Positioning System：全地球測位システム）等による位置情報を送信し、パケットローミング接続管理サーバが受信した位置情報に基づいてローミング接続可能先情報を生成するようにしてもよい。
【００３９】
上述の各サーバは内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４１】
【図１】本発明の一実施形態によるパケットローミング接続システムの構成を表す概略ブロック図である。
【図２】パケットローミング接続管理サーバの構成を示す概略ブロック図である。
【図３】データベース１６に格納されているローミング先事業者テーブルを示している。
【図４】データベース１６に格納されている携帯端末テーブルを示している。
【図５】パケットローミング接続管理サーバ１がローミング接続を行う処理を表すフローチャートである。
【図６】パケットローミング接続管理サーバ１が契約事業者システム５へ課金を行う処理を表すフローチャートである。
【図７】パケットローミング接続管理サーバ１がローミング接続サービスを終了させる処理を表すフローチャートである。
【図８】従来の携帯端末によるローミング接続システムの構成を示す概略ブロック図である。
【符号の説明】
【００４２】
１…パケットローミング接続管理サーバ  ２…携帯端末  ３…ローミング元事業者システム  ４…ローミング元ネットワーク  ５…契約事業者システム  ６−１〜６−N…ローミング先事業者システム  ７−１〜７−N…ローミング先ネットワーク  ８…パケットローミング接続管理サーバ制御端末  １１…ローミング情報登録処理部  １２…端末認証処理部  １３…ローミング選択処理部  １４…ローミング設定処理部  １５…アクセス処理部  １６…データベース  １７…スケジュール管理処理部  １８…認証登録／削除処理部  １９…課金処理部  ３１、５１、６１−１〜６１−N…認証サーバ  ３２、５２、６２−１〜６２−N…課金サーバ
【図１】
0005151689.tif 000002
【図２】
0005151689.tif 000003
【図３】
0005151689.tif 000004
【図４】
0005151689.tif 000005
【図５】
0005151689.tif 000006
【図６】
0005151689.tif 000007
【図７】
0005151689.tif 000008
【図８】
0005151689.tif 000009